(57)【要約】【課題】化粧用途に最適であり、肌触りに優れ、使用時、特にクレンジング時などにおいて破断がないまたは少ないものを提供する。【解決手段】主として化粧用途を目的としたティッシュペーパーであって、次記の（Ａ）〜（Ｃ）の条件を満たすことを特徴とするティッシュペーパー。  （Ａ）ティッシュペーパー１枚の米坪が１０．０〜２５．０ｇ／ｍ2であること。  （Ｂ）同大のティッシュペーパーを３枚重ね、または３枚を越える重ね枚数で１組としたこと。  （Ｃ）ティッシュペーパーの横及び縦の各寸法が１６０〜２４０ｍｍであること。【選択図】なし【特許請求の範囲】
【請求項１】
主として化粧用途を目的としたティッシュペーパーであって、次記の（Ａ）〜（Ｃ）の条件を満たすことを特徴とするティッシュペーパー。
（Ａ）ティッシュペーパー１枚の米坪が１０．０〜２５．０ｇ／ｍ2であること。
（Ｂ）同大のティッシュペーパーを３枚重ね、または３枚を越える重ね枚数で１組としたこと。
（Ｃ）ティッシュペーパーの横及び縦の各寸法が１６０〜２４０ｍｍであること。
【請求項２】
３枚重ねで１組のティッシュペーパーにおいて、総紙厚が２００〜４００μｍ、湿潤紙力が４２．５〜１００ｃＮ、吸油度が０．１〜３９．０秒である請求項１記載のティッシュペーパー。
【請求項３】
３枚重ねで１組のティッシュペーパーの、少なくとも２つ折の外側面において、シリコーンオイル、シリコーンパウダー等のポリシロキサン、グリセリン、プロピレングリコール等の多価アルコール、ソルビトール、グルコース等の糖類、グリコール系溶剤およびその誘導体の群の中から選ばれた少なくとも一つが塗布されている請求項１または２記載のティッシュペーパー。
【請求項４】
主として化粧用途を目的とし、次記の（Ａ）〜（Ｃ）の条件を満たすティッシュペーパーを、ポップアップ方式で２つ折りに折り畳んで収納箱内に収納したことを特徴とするティッシュペーパー収納体であって、該収納箱は縦長の直方体であり、その上面に開口した取り出し口の縦方向の寸法割合が０．１〜０．６、横方向の寸法割合が０．０２〜１．０であることを特徴とするティッシュペーパー収納体。
（Ａ）ティッシュペーパー１枚の米坪が１０．０〜２５．０ｇ／ｍ2であること。
（Ｂ）同大のティッシュペーパーを３枚重ねで１組としたこと。
（Ｃ）ティッシュペーパーの外横及び縦の各寸法が１６０〜２４０ｍｍであること。
【請求項５】
主として化粧用途を目的とし、次記の（Ａ）〜（Ｃ）の条件を満たすティッシュペーパーを、ポップアップ方式で２つ折りに折り畳んで収納箱内に収納したことを特徴とするティッシュペーパー収納体であって、該収納箱は縦長の直方体であり、縦寸法／横寸法の比が１．５〜２．０であり、（底面積）1/2／高さの比が１．０〜２．０である。
ことを特徴とするティッシュペーパー収納体。
（Ａ）ティッシュペーパー１枚の米坪が１０．０〜２５．０ｇ／ｍ2であること。
（Ｂ）同大のティッシュペーパーを３枚重ねで１組としたこと。
（Ｃ）ティッシュペーパーの横及び縦の各寸法が１６０〜２４０ｍｍであること。
【請求項６】
収納箱内へのティッシュペーパーの充填率が５０〜２００組／８５ｍｍ高さである請求項４または５記載のティッシュペーパー収納体。
【発明の詳細な説明】
【技術分野】
【０００１】
本発明は、主として化粧用途を目的としたティッシュペーパー及びそのティッシュペーパー収納体に関する。
【背景技術】
【０００２】
近年、汎用のティッシュペーパーに対して、花粉症や風邪を患ったときに紙粉の発生を極力抑制したものや、化粧時の拭き取りや仕上げ用としても使用可能であると銘打ったティッシュペーパー製品が市販されている。
【０００３】
後者の化粧用としも使用可能であることを直接または間接的に謳った市販品は、横１１５ｍｍ×縦２４７ｍｍ×高さ（９０〜１１０）ｍｍの汎用のティッシュペーパーと実質的に同一の箱体内に収納されている。
【０００４】
ティッシュペーパーは２枚１組であり、そのものの材質は、バージンパルプ１００％に場合により薬剤を添加したものである。
【０００５】
しかし、これはあくまで汎用ティッシュペーパーの延長線上で化粧用としも使用可能であることを強調したものに過ぎず、したがって、特性として化粧用途に最適なものではないものであった。
【特許文献１】特開２００２−２３８７９９号公報
【特許文献２】特開２００３−１６４３８５号公報
【発明の開示】
【発明が解決しようとする課題】
【０００６】
解決しようとする課題は、従来品は化粧用途に最適なものではないことであり、したがって、本発明の目的は、化粧用途に最適であり、肌触りに優れ、使用時、特にクレンジング時などにおいて破断がないまたは少ないものを提供することにある。
【課題を解決するための手段】
【０００７】
本発明は、次記のとおりである。
＜請求項１項記載の発明＞
主として化粧用途を目的としたティッシュペーパーであって、次記の（Ａ）〜（Ｃ）の条件を満たすことを特徴とするティッシュペーパー。
（Ａ）ティッシュペーパー１枚の米坪が１０．０〜２５．０ｇ／ｍ2であること。
（Ｂ）同大のティッシュペーパーを３枚重ね、または３枚を越える重ね枚数で１組としたこと。
（Ｃ）ティッシュペーパーの横及び縦の各寸法が１６０〜２４０ｍｍであること。
【０００８】
＜請求項２項記載の発明＞
３枚重ねで１組のティッシュペーパーにおいて、総紙厚が２００〜４００μｍ、湿潤紙力が４２．５〜１００ｃＮ、吸油度が０．１〜３９．０秒である請求項１記載のティッシュペーパー。
【０００９】
＜請求項３項記載の発明＞
３枚重ねで１組のティッシュペーパーの、少なくとも２つ折の外側面において、シリコーンオイル、シリコーンパウダー等のポリシロキサン、グリセリン、プロピレングリコール等の多価アルコール、ソルビトール、グルコース等の糖類、グリコール系溶剤およびその誘導体の群の中から選ばれた少なくとも一つが塗布されている請求項１または２記載のティッシュペーパー。
【００１０】
＜請求項４項記載の発明＞
主として化粧用途を目的とし、次記の（Ａ）〜（Ｃ）の条件を満たすティッシュペーパーを、ポップアップ方式で２つ折りに折り畳んで収納箱内に収納したことを特徴とするティッシュペーパー収納体であって、該収納箱は縦長の直方体であり、その上面に開口した取り出し口の縦方向の寸法割合が０．１〜０．６、横方向の寸法割合が０．０２〜１．０であるティッシュペーパー収納体。
（Ａ）ティッシュペーパー１枚の米坪が１０．０〜２５．０ｇ／ｍ2であること。
（Ｂ）同大のティッシュペーパーを３枚重ねで１組としたこと。
（Ｃ）ティッシュペーパーの外横及び縦の各寸法が１６０〜２４０ｍｍであること。
【００１１】
＜請求項５項記載の発明＞
主として化粧用途を目的とし、次記の（Ａ）〜（Ｃ）の条件を満たすティッシュペーパーを、ポップアップ方式で２つ折りに折り畳んで収納箱内に収納したことを特徴とするティッシュペーパー収納体であり、該収納箱は縦長の直方体であり、縦寸法／横寸法の比が１．５〜２．０であり、（底面積）1/2／高さの比が１．０〜２．０であるティッシュペーパー収納体。
（Ａ）ティッシュペーパー１枚の米坪が１０．０〜２５．０ｇ／ｍ2であること。
（Ｂ）同大のティッシュペーパーを３枚重ねで１組としたこと。
（Ｃ）ティッシュペーパーの横及び縦の各寸法が１６０〜２４０ｍｍであること。
【００１２】
＜請求項６項記載の発明＞
収納箱内へのティッシュペーパーの充填率が５０〜２００組／８５ｍｍ高さである請求項４または５記載のティッシュペーパー収納体。
【発明の効果】
【００１３】
本発明のティッシュペーパーは、（Ａ）ティッシュペーパー１枚の米坪が１０．０〜２５．０ｇ／ｍ2（好ましくは１１．０〜１７．０ｇ／ｍ2）であること（Ｂ）同大のティッシュペーパーを３枚重ねで１組としたこと（Ｃ）ティッシュペーパーの外横及び縦の各寸法が１６０〜２４０ｍｍであることの各条件を満足するので、肌触り、特に所定の米坪のものを３枚重ね、または３枚を越える重ね枚数で１組にしたものであるために肌に当てたときクッション性（ふんわり感）に優れ、しかも使用時、特にクレンジング時などにおいて破断がないまたは少ないものとなる。さらに、ティッシュペーパーの横及び縦の各寸法が１６０〜２４０ｍｍ（好ましくは１８０〜２２０ｍｍ）であることで、４つ折りしたとき、化粧動作時に余分な部分がなく、女性が手で持って取り扱い易い。
【００１４】
総紙厚が２００〜４００μｍ（好ましくは２００〜３４０μｍ）、湿潤紙力が４２．５〜１００ｃＮ（好ましくは４２．５〜５５．０ｃＮ）、吸油度が０．１〜３９．０秒（好ましくは１８．０〜３５．０秒）であると、クレンジング時などにおいて破断がないまたは少ないものとなるとともに、肌に付着した油分を速やかに除去できる。
【００１５】
３枚重ねで１組のティッシュペーパーの、少なくとも２つ折の外側面において、シリコーンオイル、シリコーンパウダー等のポリシロキサン、グリセリン、プロピレングリコール等の多価アルコール、ソルビトール、グルコース等の糖類、グリコール系溶剤およびその誘導体の中から少なくとも一つを塗布すると、表面が滑らかな感触や柔軟性を与えることができる。
【００１６】
本発明のティッシュペーパーはポップアップ方式で２つ折りに折り畳んで縦長の直方体の収納箱内に収納して使用に供することで、使用の都度、ポップアップする場合、その上面に開口した取り出し口の縦方向の寸法割合が０．１〜０．６、横方向の寸法割合が０．０２〜１．０であると、取り出しの容易性と過度に大きいことによる外部からのごみやほこりの混入を防止できる。
【００１７】
また、収納箱における縦寸法／横寸法の比が１．５〜２．０であり、（底面積）1/2／高さの比が１．０〜２．０であると、前記のティッシュペーパーの外形寸法との関係、置いた時、使用時の安定性及び収納箱内への収容組数（１００〜１５０組がより望ましい）との関係で、消費者にとって使い勝手がよいものとなる。
【００１８】
収納箱内へのティッシュペーパーの充填率が５０〜２００組／８５ｍｍ高さであると、過度に低い充填率に伴う遊び空間の増大に伴う収納品の崩れ、その動きによる品質の悪化を防止し、過度の高い充填率に伴う取り出し時における破断を防止できる。
【発明を実施するための最良の形態】
【００１９】
以下本発明を、実施するための最良の形態を挙げながら、さらに詳説する。
本発明のティッシュペーパーの基材紙としては、ＮＢＫＰ配合率が３０〜８０％、ＬＢＫＰ２０〜７０％のパルプ繊維を主原料とするのが望ましい。必要により、パルプ原料に対し、古紙パルプを３０％以下、好適には１０％以下配合することができるが、バージンパルプを１００％配合したものが柔軟性などの点で望ましい。
【００２０】
ティッシュペーパー１枚の米坪が１０．０〜２５．０ｇ／ｍ2（好ましくは１１．０〜１７．０ｇ／ｍ2）とする。市販品のものは、１２．８〜１８．３ｇ／ｍ2である。本発明において、米坪が小さいと、前述のクッション性が得られない。市販品の例に見られるように、米坪を大きくしたものを、２枚重ねとすることでクッション性を高めることも可能ではあるが、本発明では、高くない米坪のものを３枚重ね（またはこれを超える枚数）で１組とすることにより、シート間のわずかな空間を緩衝空間としてクッション性を高めることを企図している。また、仮に２枚重ねで１組としたものと、３枚重ねで１組としたものが、同じ総厚であるとしても、３枚重ねで１組としたものの方が吸油度が優れることが知見された。これは、シート間のわずかな空間に油分を保持する機能があるからであると推測された。
【００２１】
ティッシュペーパーの横及び縦の各寸法が１６０〜２４０ｍｍ（好ましくは１８０〜２２０ｍｍ）である。この寸法であると、４つ折りしたとき、化粧動作時に余分な部分がなく、女性が手で持って取り扱い易い。
【００２２】
総紙厚が２００〜４００μｍ（好ましくは２００〜３４０μｍ）、湿潤紙力が４２．５〜１００ｃＮ（好ましくは４２．５〜５５．０ｃＮ）、吸油度が０．１〜３９．０秒（好ましくは１８．０〜３５．０秒）が望ましい。総紙厚はクッション性を確保するために規定したものである。縦方向および横方向の湿潤紙力（乾燥紙力も同様）は、ＪＩＳ  Ｓ  ３１０４およびＪＩＳ  Ｐ  ８１１３に基づいて測定する。湿潤紙力は、洗顔後の拭き取りなどにおいて重要である。湿潤紙力を過度に高いものとすることは、他の特性（たとえば柔軟性）などを阻害するために困難である。湿潤紙力が低いと破断を生じ易い。一方で、吸油度が大きいと、クレンジング性が悪い。
【００２３】
３枚重ねで１組のティッシュペーパーの、少なくとも２つ折の外側面において、シリコーンオイル、シリコーンパウダー等のポリシロキサン、グリセリン、プロピレングリコール等の多価アルコール、ソルビトール、グルコース等の糖類、グリコール系溶剤およびその誘導体の中から少なくとも一つが塗布することで、表面の滑らかな感触や柔軟性を与えることができる。
【００２４】
必要ならば、たとえばジメチルシリコーンエラストマーを乳化などの手段により微粒子化した、シリコーンエラストマーより形成したシリコーンパウダーを含有させることができる。この場合、好適にはべとつき防止のために２５ｃｓｔ以下のシリコーンオイルとの併用で、０．１〜３０μｍの前記シリコーンパウダーを、乾燥繊維重量を基準として０．０５〜５％の割合で含有させることが、吸油性及び吸水性を所定の程度に適正に維持しながら、所望の表面の滑らかな感触や柔軟性を与え、かつ経済性に富む配合となる。
【００２５】
収納箱の形態については、前述のとおりであるが、補足説明する。すなわち、図１に示すように、３枚重ねで一組として収納箱１の長手方向を折目として、ポップアップ方式で折り畳み、上部に取り出し口を有する収納箱１に収めたさいに、収納箱１上部の取り出し口からティシュペーパーを破断することなくスムーズに取り出すことができるようになる。そして取り出し口は、図示例のように、前記収納箱１の上部に開口する窓１Ａの箱内面側からこれを被覆するシート２が貼り付けられ、そのシート２に収納箱上面の長さ方向に沿ってスリット２Ａが設けられたこの種の収納箱に設けられる取り出し口Ｘを有する。前記スリット２Ａの長さは１００〜１８０ｍｍとするのが好適である。そして、スリットとティシュペーパーの横方向が平行となるように収納箱に収めるのが好適である。
【００２６】
他方、乾燥時の縦紙力が２００〜４００ｃＮ、横紙力が８０〜２００ｃＮであることが望ましい。また、ソフトネスは０．５〜１．５ｇが、ＪＩＳ  Ｐ  ８１４１で規定するクレム吸水度は１０〜１２０秒、クレム吸油度（ＪＩＳ Ｐ８１４１で規定するクレム吸水度試験に準じて、水を市販のサラダ油（日清製油株式会社製）に置き換えて、ＪＩＳ Ｐ８１１１で規定する標準条件下で測定する。ただし、測定時間は６０秒、紙の流れは縦方向（製造ラインにおける流れ方向）とする。すなわち、試験片の寸法を縦方向に６０秒、紙の下端をサラダ油に浸漬し、６０秒後に上昇するサラダ油が上昇した高さを測定し、試験片１０点の平均値とするものである。）は０．１〜３９．０秒が望ましい。
【００２７】
化粧用のティッシュペーパーとしては、表面が滑らかであることが特に重要である。ＫＥＳ試験機を使用した表面特性における摩擦係数の平均偏差ＭＭＤが５．０〜１０．０であることが望ましい。
【００２８】
この表面特性の試験には、カトーテック株式会社製「摩擦感テスター  ＫＥＳＳＥ」を用いることができる。測定に際しては、図２に示すように、横断面直径０.５ｍｍのピアノ線からなり、その接触面の長さは５ｍｍである摩擦子を、紙試料に１０ｇの接触圧で接触させながら、移動方向に２０ｇ／ｃｍの張力を紙試料に与えつつ、０.１ｃｍ／秒の速度で２ｃｍ移動させたときの、摩擦係数を測定する。すなわち、摩擦係数の平均偏差ＭＭＤは、摩擦子を移動させたときの表面厚さの変動量の面積を移動距離（２ｃｍ）で割り算した値である。ここでは、このＭＭＤは滑らかさに対応する。
【００２９】
また、人工皮革により構成した１０ｍｍ四方の接触平面にオリーブオイル４ｍｇを均一に塗布し、この接触平面全体を５０ｇｆ／ｃｍ2の接触圧で、人工皮革により構成した水平測定面上に固定した紙試料に接触させ、この状態で前記紙試料に移動方向に２０ｇｆ／ｃｍの張力を与えつつ前記接触平面の長さ方向または幅方向と直交する方向に、０．１ｃｍ／秒の速度で前記紙試料を前記水平測定面ごと２ｃｍ移動させたときの摩擦係数の平均偏差で表される表面特性の縦横平均は、０．５０〜２．００が望ましい。
【００３０】
すなわち測定は、図３〜図５に示すように、通常のＭＭＤ試験機、例えば、カトーテック株式会社製の摩擦感テスター（ＫＥＳ ＳＥ）の基台上に人工皮革（サプラーレ：旭化成）を敷いて固定するとともに、測定端子Ｔを人工皮革（サプラーレ：旭化成）にて被覆し、その測定端子の測定面の人工皮革で被覆された部分（接触平面）にオリーブオイル（ＢＯＳＣＯエクストラバージンオイル：日清精油）４ｍｇを均一に塗布し、ＭＭＤの測定手順と同様にして行なうことができる。詳細には、本発明にかかる人工皮革で構成される接触平面は、横断面直径０．５ｍｍにピアノ線からなり、先端の曲率半径が０.２５ｍｍの単位膨出部が隣接して有し、全幅が１０ｍｍの連続した測定面を有し、その測定面の長さが１０ｍｍとされるほぼ１０ｍｍ四方の測定面を有するＭＭＤ測定用端子を、前記人工皮革で被覆して形成することができる。人工皮革による前記端子の被覆は、１０ｍｍ四方の接触平面が形成されるように端子の測定面に対して人工皮革がぴったりと接触するように、あるいは若干の張力をもたせてぴったりと被覆することにより達成できる。人工皮革を端子に固定するにあたっては、測定時、すなわち紙試料を移動させたときに人工皮革と内部の端子とがずれて人工皮革に接触平面に歪みなどが生じないようにしっかりと固定することが重要である。固定は例えば、前記接触平面が構成されるように前記端子を被覆したのち、接触平面を構成しない部位を輪ゴム等で装置の測定に影響が出ない部位、例えば端子の支持材等にしっかり固定する。また、ＭＭＤ試験機の基台上には人工皮革を敷いて接着テープ等で固定する。このとき、測定時に歪まないように基台に人工皮革をしっかりと固定することが重要である。また、基台上に敷く人工皮革は、前記接触平面を構成する人工皮革と同じものを用いる。なお、紙試料は、１０ｃｍ四方に裁断して用い、人工皮革を敷いた基台に固定する。測定に際しては、紙試料の上に試料押さえ用錘（約１００ｇ）で押さえる。また、試験機の測定端子への荷重を５０ｇとして人工皮革で構成される接触平面全体が５０ｇｆ／ｃｍ2の接触圧で紙試料に接触するようにするが、これは、ＭＭＤ測定と同様に、円盤状の錘を端子上部に取り付けることで達成できる。もちろん、支持材の一方の端部（紙試料の移動方向と反対の端部）の固定の仕方はＭＭＤの測定に準ずる。測定は、紙試料の縦方向について３回、横方向について３回の計６回を行い、測定値についてはその６回の平均値とする。なお、人工皮革およびオリーブオイルについては同等品で代替することもできる。
【００３１】
ここで表面特性は、パルプ配合、カレンダー条件、抄紙水分、ドクターの刃先角度、ブレード角度、接着・剥離強度のバランス、クレープ率、界面活性剤の添加及びその量などにより調整することが可能である。
【００３２】
必要により（通常は不要）別の柔軟剤を添加することも可能である。この柔軟剤としては、脂肪酸エステル系軟化剤（米国特許第３，２９６，０６５号明細書）、第４級アンモニウム塩型カチオン柔軟剤（特開昭４８−２２７０１号公報）、ウレタンアルコール若しくはその塩、又はカチオン化物（特開昭６０−１３９８９７号公報）、非陽イオン系界面活性剤（特開平２−９９６９０号公報、同２−９９６９１号公報）、ポリリン酸塩（特開平２−３６２８８号公報）、ポリシロキサン（特開平２−２２４６２６号公報、同３−９００号公報）等を挙げることができる。特に好ましい柔軟剤は、いずれもカチオン性を示す、第４級アンモニウム塩型カチオン柔軟剤及び又は脂肪酸エステル系軟化剤である。尿素−ホルムアルデヒド樹脂、メラミン−ホルムアルデヒド樹脂などのアミノ樹脂、ポリアミドエピクロルヒドリン系樹脂、ジアルデヒドデンプンなどの紙力剤（湿潤紙力増強剤）を添加することも可能である。
【実施例】
【００３３】
本発明品の一例（実施例）と、市販品について、各種の試験を行った。結果を表１に示した。
【００３４】
【表１】
2007044057.tif 000002
【００３５】
各市販品及び実施例ものについて、年代層を分散させた５０名の女性モニターに化粧時における評価依頼をした結果、２名のモニターを除いて、いずれも実施例のものが市販品に比較して、クッション性に富み、クレンジング時に破れがなく、滑らかで肌触りに優れ、化粧時の取扱に優れるとの評価結果となった。
【００３６】
なお、表１に示すもののほか、他の実施例品を製造し、評価して結果、上記数値範囲のものが良好であることが判明した。
【図面の簡単な説明】
【００３７】
【図１】ティッシュペーパー収納箱の斜視図である。
【図２】ＭＭＤ特性の測定端子および測定時の概略を示す図である。
【図３】オイルを使用するＭＭＤ特性の測定端子および測定時の概略を示す図である。
【図４】表面特性の測定装置の例の概略を示す図である。
【図５】その接触平面の構成を説明するための図である。
【符号の説明】
【００３８】
１…収納箱、１Ａ…窓、２…シート、２Ａ…スリット、３…ティシュペーパー、Ｌ…スリットの長さ、Ｘ…取り出し口。
【図１】
2007044057.tif 000003
【図２】
2007044057.tif 000004
【図３】
2007044057.tif 000005
【図４】
2007044057.tif 000006
【図５】
2007044057.tif 000007